(57)【特許請求の範囲】
【請求項１】
改善されたジッタ特性を所定の帯域幅の制約内でもたらす、ディジタル信号をサンプリングする方法であって：
該ディジタル信号を各間隔ｔ中にｎ回、周期的にサンプリングする工程を備え、ｎは、ｌｏｇ２（ｎ＋１）がゼロよりも大きな整数（ｘ）であるように選ばれ；
更に、各間隔ｔ後にｘ＋１ビットのサンプル値を生成する工程を備え、該サンプル値は、サンプリングされる前記ディジタル信号の値を示す第１のビットと、該ディジタル信号が状態を変化させたサンプル間隔を、該変化が実際に起きた場合に併せて示すｘ個の残りのビットとを有し、
更に、復号化の際に各サンプル値の前記第１のビットが、前記ディジタル信号における前記変化に一致するよう反転されることを特徴とする方法。
【請求項２】
請求項１記載の方法であって、ｎ＝１５であり、ｘが４に等しいことを特徴とする方法。
【請求項３】
改善されたジッタ特性を所定の帯域幅の制約内でもたらす、ディジタル信号をサンプリングする装置であって：
ｎ個の周期的クロック・パルスを各間隔ｔ中に生成するサンプル・クロックを備え、ｎは、ｌｏｇ２（ｎ＋１）がゼロよりも大きな整数（ｘ）であるように選ばれ；
更に、各間隔ｔ後にｘ＋１ビットのサンプル値を生成する受信器を備え、該サンプル値は、サンプリングされる前記ディジタル信号の値を示す第１のビットと、該ディジタル信号が状態を変化させたサンプル間隔を、該変化が実際に起きた場合に併せて示すｘ個の残りのビットとを有し、更に、前記受信器が、復号化の際に各サンプル値の前記第１のビットを、前記ディジタル信号における前記変化に一致するよう反転させることを特徴とする装置。
【請求項４】
請求項３記載の装置であって、ｎ＝１５であり、ｘが４に等しいことを特徴とする装置。
【請求項５】
改善されたジッタ特性を所定の帯域幅の制約内でもたらす、ディジタル信号をサンプリングする方法であって：
該ディジタル信号を各間隔ｔ中にｎ回、周期的にサンプリングする工程を備え、ｎは、ｌｏｇ２（ｎ）≦ｘであり、xが整数であるように選ばれ；
更に、各間隔ｔ後にｘ＋１ビットのサンプル値を生成する工程を備え、該サンプル値は、サンプリングされる前記ディジタル信号の値を示す第１のビットと、該ディジタル信号が状態を変化させたサンプル間隔を、該変化が実際に起きた場合に併せて示すｘ個の残りのビットとを有し、
更に、復号化の際に各サンプル値の前記第１のビットが、前記ディジタル信号における前記変化に一致するよう反転されることを特徴とする方法。
【請求項６】
請求項５記載の方法であって、ｎ＝１５であり、ｘが４に等しいことを特徴とする方法。
【請求項７】
改善されたジッタ特性を所定の帯域幅の制約内でもたらす、ディジタル信号をサンプリングする装置であって：
ｎ個の周期的クロック・パルスを各間隔ｔ中に生成するサンプル・クロックを備え、ｎは、ｘが整数のとき、ｌｏｇ２（ｎ）＝ｘであるように選ばれ；
更に、各間隔ｔ後にｘ＋１ビットのサンプル値を生成する受信器を備え、該サンプル値は、サンプリングされる前記ディジタル信号の値を示す第１のビットと、該ディジタル信号が状態を変化させたサンプル間隔を、該変化が実際に起きた場合に併せて示すｘ個の残りのビットとを有し、更に、前記受信器が、復号化の際に各サンプル値の前記第１のビットを、前記ディジタル信号における前記変化に一致するよう反転させることを特徴とする装置。
【請求項８】
請求項７記載の装置であって、ｎ＝１５であり、ｘが４に等しいことを特徴とする装置。
【発明の詳細な説明】
【技術分野】
【０００１】
本発明は、非同期ディジタル信号をサンプリングして、ジッタが削減された特性を達成する手法に関する。
【背景技術】
【０００２】
各種の電子システムでは、ディジタル信号をサンプリングして、その状態を判定する、すなわち信号が論理レベル「１」にあるか論理レベル「０」にあるかを判定する。実際には、そのようなサンプリングは周期的に、通常は周期的サンプル・クロック・パルスに応じて行われる。サンプリングは、サンプリングされた信号の状態の変化と、次のサンプル・クロック・パルスとの間の不確実性の期間として一般的に定義されるジッタを最小にするのに十分高い周波数で行われることが理想的である。最悪のシナリオでは、サンプリングされた信号はサンプル・クロックの発生の直後に状態を変えることになるので、もう一度入力信号をサンプリングする前にサンプル・クロック間隔のほぼ全体が経過することになる。
【０００３】
サンプリング周波数を増加することによって、不確実性の期間が削減され、よって、ジッタ特性の改善をもたらすことになる。しかし、サンプリング周波数を増加することによってより多くのサンプルをもたらすことになる。一部の電子システムでは、帯域幅の制約によって特定の期間中に送信することができるサンプル数が制限される。そのようなシステムでは、ジッタ特性を改善する機会は限定的である。
【発明の開示】
【発明が解決しようとする課題】
【０００４】
よって、帯域幅が制約されるシステムにおいてジッタ特性の向上を実現する手法に対する必要性が存在する。
【課題を解決するための手段】
【０００５】
簡潔に述べれば、本願の原理の好適実施例によれば、ジッタ特性の改善をもたらすディジタル信号をサンプリングする方法が備えられる。該方法は、ｌｏｇ２（ｎ＋１）がゼロよりも大きな整数ｘであるようにｎを選んで、ディジタル信号を特定の間隔においてｎ回、サンプリングすることによって始まる。各間隔ｔの後には、ｘ＋１個のビット・データ・クロックが生成される。第１のビットはサンプリングされた信号の状態を表し、残りのｘビットは、変化が起きた場合にその変化の間のサンプル間隔（すなわち、ｎ個のクロック・パルスのうちの特定の１つ）を示す。変化が実際に起きた場合には、当該サンプル間隔中に起こった、サンプル値における変化と一致するよう復号化の際にサンプル値が反転される。
【発明を実施するための最良の形態】
【０００６】
〔実施例〕
図１は、送信器１２によって生成される非同期ディジタル信号１１をサンプリングする従来技術の装置１０を示す。送信器１２は、非同期ディジタル出力信号を生成する何れかの種類のディジタル装置の形態をとり得る。すなわち、送信器１２の出力信号１１は周期的に論理レベル「１」と論理レベル「０」との間で状態を変える。サンプリング装置１０は、送信器１２の出力に結合されてサンプル・クロック１６からの周期的クロック・パルス１５列の各々に応じて信号１１の状態を検出する受信器１４を備える。サンプル・クロック１６は、ｍ個の一様間隔のクロック・パルス１５を持続時間ｔの間隔中に生成する。図示した実施例では、ｍ＝５であるが、ｍの値は、それより大きくても小さくてもよい。
【０００７】
図２は、図１の送信器１２の出力信号１１と図１のサンプル・クロック１６によって生成されるクロック・パルス１５との間の経時的な関係を示すタイミング図である。図２に示す例では、信号１１は、図１のサンプル・クロック１６によって生成される第２のクロック・パルス１５の発生直後に論理状態「１」から論理レベル「０」に移る。第２のクロック・パルス１５の受信後に、図１の受信器１４はもう一度、信号１１をサンプリングすることになる。信号１１が論理レベル「１」であることがわかると、受信器１４は、以前と同様に図２におけるその出力信号２０を論理レベル「１」に維持することになる。受信器１４の出力信号２０は、次の（すなわち、第３の）クロック・パルス１５の受信後の次のサンプリング間隔までこの論理状態に留まる。図１のサンプル・クロック１６によってもう一度クロッキングされる（すなわち、第４のクロック・パルスが発生する）と、その場合、図２の受信器１４は、信号１１の振幅が論理レベル「０」に降下したということがわかる。よって、図２に示す受信器出力信号２０はその場合、論理レベル「０」に降下する。
【０００８】
図２に示す受信器出力信号２０の網掛けの部分は、信号１１の状態における変化と受信器出力信号の状態における変化との間の遅延に相当する。当該分野においてはジッタとして呼ばれているこの遅延は、非同期信号の周期的サンプリングからもたらされ、最大１クロック・サイクルの間、持続する。サンプリング・レートを増加する（すなわち、時間間隔ｔ毎のサンプル・クロック・パルス数を増加する）ことによって、より多くのサンプルをもたらし、よってジッタの量を削減することになる。しかし、一部の電子システムは、特定の間隔中に送信することができるサンプルの数を制限する帯域幅の制約を有する。そのようなシステムでは、サンプリング・レートを増加してジッタ特性を改善するという選択肢は存在しない。
【０００９】
図３は、本願の原理の好適実施例による、送信器１２によって生成される非同期ディジタル信号１１をサンプリングして、帯域幅の制約を維持する一方でジッタ特性の改善を達成するシステム１００を示す構成略図である。システム１００は、クロック１６０によって生成される周期的クロック・パルス１５０列の各々を受信すると出力信号１１をサンプリングする受信器１４０を含む。各間隔ｔ中にｍ個の一様間隔の周期的パルス１５を生成する、図１のサンプル・クロック１６と比較すれば、図３のサンプル・クロック１６０は、ｎ＞ｍのとき、同じ間隔ｔ中にｎ個の一様間隔のパルス１５０を生成する。図示した実施例では、ｎ＝１５であるが、ｌｏｇ２（ｎ＋１）がゼロよりも大きな整数ｘである限り、ｎは１５よりも大きくても小さくてもよい。図１の受信器１４のように単一のビット・サンプル値を生成するのではなく、図３の受信器は、ｘ＋１個のビット語２００から成るサンプルを各間隔ｔ中に生成する。ｘ＋１個のビット語２００は、信号１１のサンプル値を示し、信号１１の状態の変化が実際に起きた場合にこの信号が状態において変化した間隔ｔ中のｎ個のクロック・サイクルのうちの特定の１つも識別する。
【００１０】
図４は、図２の送信器１２によって生成される信号１１とクロック１６０によって生成されるパルス１５０との間の経時的な関係を示すタイミング図を示す。図４に示すように、持続時間ｔの各サンプル間隔中に、図１の受信器１４０は１５個のクロック・パルス１５０の連続した１つを受信し、各パルスは受信器に入力信号をサンプリングさせる。各間隔ｔの終点で、受信器１４０は、（以後「基準データ」ビットと呼ぶ）第１のビットが入力信号１１の状態を示す５ビットの語２００を生成する。残りの４ビットは併せて、信号１１の状態の変化が起きたとみなす場合にこの信号が状態において変化した間隔ｔ中に１５個のクロック・サイクルのうちの特定の１つを識別する。
【００１１】
図４に表すタイミング図から分かり得るように、５ビットのサンプルのうちの最後の４ビットは、間隔ｔ中の１５個のクロック・パルスの各々を一意に識別することになる。よって、例えば、４ビットの２進語（００００）は１５個のクロック・パルス期間に変化が何らない場合に１５個のパルスのうちの最初のものを識別する役目を担う一方、４ビットの２進語（１１１１）は、その時点で変化が起きた場合に第１５のクロック・パルスを識別する。このようにして、図３の受信器１４０によって生成される５ビットのサンプルは、１５個の個々のサンプルと同様な精度によって各間隔ｔ中に単一のサンプルを備え、よって、帯域幅の制約に反することなくジッタ特性を改善する。信号の値に変化が実際に起きた場合、５ビットの語２００におけるサンプル値の基準データビットは、復号化の際に、サンプルにおいて起きた変化に一致するよう反転される。
【００１２】
受信器１４０によって行われるサンプリング方法は、ｌｏｇ２（ｎ＋１）＝ｘであるとすれば、ｎ個のサンプルと同様な精度で、長さがｘビットの（ランレングス符号化データ・ブロックすなわちＲＬＥＤＢと呼ぶ）単一のサンプルをもたらすランレングス符号化の形態を構成する。この手法によって、特定の通信リンク帯域幅の最大サンプル取得レートがジッタ特性の改善と引き換えられる。図示した実施例では、３．２対１の圧縮係数（５つの期間における１６個のサンプル）が達成されるので、ジッタは同様な比率で削減される。圧縮係数は他に考えられる。
【００１３】
この方法の唯一の欠点は、信号１１が各間隔ｔ中に２度以上、状態において変化することが可能でないということである。すなわち、信号１１は、ＲＬＥＤＢ毎に２度以上変化することが可能でない。信号１１がＲＬＥＤＢ毎に２度以上状態を変化する場合には、データは喪失されることになる。
【００１４】
上記は、帯域幅の制約を維持する一方で、非同期信号をジッタ特性の改善を伴ってサンプリングする手法を説明している。
【図面の簡単な説明】
【００１５】
【図１】従来技術による、非同期ディジタル信号をサンプリングする装置を示す構成略図である。
【図２】サンプリングを受けるディジタル信号と、得られるサンプル値と、図１の装置の一部を備えるサンプル・クロックによって生成されるサンプル・クロック・パルスとの間の経時的な関係を示すタイムラインである。
【図３】ジッタ特性の改善を伴って非同期ディジタル信号をサンプリングする本願の原理による装置を示す構成略図である。
【図４】サンプリングを受けるディジタル信号と、得られるサンプル値と、図３の装置の一部を備えるサンプル・クロックによって生成されるサンプル・クロック・パルスとの間の経時的な関係を示すタイムラインである。
【図１】
0004642749.tif 000002
【図２】
0004642749.tif 000003
【図３】
0004642749.tif 000004
【図４】
0004642749.tif 000005